(57)【要約】【課題】物置棚を組立てるときに、隣接する二つの網状部材を同様な平面、又は異なる平面に設置することもでき、且つ支持ロッドの断面形状に限定されることのない、物置棚の構造を提供すること。【解決手段】支持ロッドの外周面には支持ロッドを包囲するための二つの定位スリーブが設けてあり、前記定位スリーブは、その外周には溝が設けてあり、その底端には止め凸縁が設けてあり、且つ網状部材の固定スリーブの定位スリーブにある溝に応じる箇所には嵌め突起が設けてあり、そうすると、前記固定スリーブが前記定位スリーブを包囲し前記嵌め突起が前記溝に嵌め込み、且つ固定スリーブの底端が定位スリーブにある止め凸縁に止められ、前記定位スリーブの外周面と前記固定スリーブの内周面とが円錐状に成している、物置棚の構造である。【選択図】    図１
0003104160.tif 000002
【実用新案登録請求の範囲】
【請求項１】
支持ロッドと、定位スリーブと、網状部材とから構成され、前記支持ロッドには定位スリーブに設ける環状突起と嵌め合わせて定位するための多数の環状溝が等距離を置いて設けてあり、前記定位スリーブの両端には他の定位スリーブと係合して結合するための凸嵌め部と凹嵌め部とが別々に設けてあり、前記網状部材にある固定スリーブを前記定位スリーブに嵌合して結合する物置棚の構造において、
前記定位スリーブは、その外周に溝が設けてあり、その底端には止め凸縁が設けてあり、前記網状部材の固定スリーブの定位スリーブにある溝に応じる箇所には嵌め突起が設けてあり、前記固定スリーブが前記定位スリーブを包囲し前記嵌め突起を前記溝に嵌め込み、前記固定スリーブの底端が定位スリーブにある止め凸縁に止められ、前記定位スリーブの外周面と前記固定スリーブの内周面とが円錐状に成すので、互いに嵌合して結合することができることにより、
前記網状部材にある固定スリーブの嵌め突起を前記定位スリーブにある溝の一側に嵌めるときに、使用者が他の網状部材にある固定スリーブの嵌め突起を前記定位スリーブにある溝の他側に嵌めるかどうかを決めることができることを特徴とする、
物置棚の構造。
【請求項２】
支持ロッドと、定位スリーブと、網状部材と、止めスリーブとから構成され、前記支持ロッドには定位スリーブに設ける環状突起と嵌め合わせて定位するための多数の環状溝が等距離を置いて設けてあり、前記定位スリーブの両端には他の定位スリーブと係合して結合するための凸嵌め部と凹嵌め部とが別々に設けてあり、前記網状部材にある固定スリーブを前記定位スリーブに嵌合して結合する物置棚の構造において、
前記定位スリーブは、その外周には溝が設けてあり、その底端には止め凸縁が設けてあり、前記網状部材の固定スリーブの定位スリーブにある溝に応じる箇所には嵌め突起が設けてあり、前記固定スリーブが前記定位スリーブを包囲し前記嵌め突起が前記溝に嵌め込み、前記固定スリーブの底端が定位スリーブにある止め凸縁に止められ、前記定位スリーブの外周面と前記固定スリーブの内周面とが円錐状に成すので、互いに嵌合して結合することができ、前記止めスリーブは、網状部材にある固定スリーブと同様なように定位スリーブを包囲し、その嵌め突起が溝の他側に嵌め込むことができ、その底端が定位スリーブにある止め凸縁に当接することにより、
前記網状部材にある固定スリーブの嵌め突起を前記定位スリーブにある溝の一側に嵌めるときに、使用者が他の網状部材にある固定スリーブ又は前記止めスリーブの嵌め突起を前記定位スリーブにある溝の他側に嵌めるかどうかを決めることができることを特徴とする、
物置棚の構造。
【請求項３】
前記止めスリーブの脱着を便利にするために、前記止めスリーブの上端には凸縁が設けてあることを特徴とする、請求項１に記載の物置棚の構造。
【請求項４】
前記支持ロッドの断面を円形に形成し、前記定位スリーブの形状が前記網状部材にある固定スリーブの形状に対応していることを特徴とする、請求項１に記載の物置棚の構造。
【請求項５】
前記支持ロッドの断面を円形に形成し、前記定位スリーブの形状と、前記網状部材にある固定スリーブの形状と、前記止めスリーブの形状とを同形状にしたことを特徴とする、請求項２に記載の物置棚の構造。
【請求項６】
前記支持ロッドの断面を矩形に形成し、前記定位スリーブの形状が前記網状部材にある固定スリーブの形状と対応することを特徴とする、請求項１に記載の物置棚の構造。
【請求項７】
前記支持ロッドの断面を矩形に形成し、前記定位スリーブの形状と、前記網状部材にある固定スリーブの形状と、前記止めスリーブの形状とを同形状にしたことを特徴とする、請求項２に記載の物置棚の構造。
【考案の詳細な説明】
【技術分野】
【０００１】
この考案は物置棚の構造に係り、特に物置棚に組立てるときに、隣接する二つの網状部材が、同一の平面に設置することもでき、または異なる平面に設置することもできる物置棚の構造に関するものである。
【背景技術】
【０００２】
まず、図１０を参照する。従来の物置棚の構造は、複数の支持ロッド１０と、複数の物置面２０と、複数組の半分台形ブロック３０とから構成され、前記半分台形ブロック３０の外周面には二つの斜面３０１を有し、また、前記物置面２０の隅にはほぼコ字形を呈する結合スリーブ２０１が設けてあり、前記結合スリーブ２０１が前記半分台形ブロック３０にある一つの斜面３０１と嵌合して定位し、半分台形ブロック３０にある他の斜面３０１に、他の物置面２０を組み合わせて、物置棚を横へ延ばしていた。
【考案の開示】
【考案が解決しようとする課題】
【０００３】
しかしながら、従来の物置棚の構造は、隣接する二つの物置面２０を同一の平面に設置することはできるが、支持ロッド１０の断面が矩形を呈する場合にだけ適用できる、という極めて限定されたものであった。
【課題を解決するための手段】
【０００４】
上記課題を解決するためになされた本願の考案は、主に、支持ロッドと、定位スリーブと、網状部材とから構成され、前記支持ロッドには定位スリーブに設ける環状突起と嵌めして定位するための多数の環状溝が等距離を置いて設けてあり、且つ前記定位スリーブの両端には他の定位スリーブと係合して結合するための凸嵌め部と凹嵌め部とが別々に設けてあり、なお、前記網状部材にある固定スリーブが前記定位スリーブと嵌合して結合する物置棚の構造において、前記定位スリーブは、その外周には溝が設けてあり、その底端には止め凸縁が設けてあり、且つ網状部材の固定スリーブの定位スリーブにある溝に応じる箇所には嵌め突起が設けてあり、そうすると、前記固定スリーブが前記定位スリーブを包囲し前記嵌め突起が前記溝に嵌め込み、且つ固定スリーブの底端が定位スリーブにある止め凸縁に止められ、なお、前記定位スリーブの外周面と前記固定スリーブの内周面とが円錐状に成すので、互いに嵌合して結合することができることにより、前記網状部材にある固定スリーブの嵌め突起が前記定位スリーブにある溝の一側に嵌めるときに、使用者が他の網状部材にある固定スリーブの嵌め突起を前記定位スリーブにある溝の他側に嵌めるかどうかを決めることができることを特徴とする物置棚の構造であることを要旨としている。
【０００５】
本願の考案では、主に、支持ロッドと、定位スリーブと、網状部材と、止めスリーブとから構成され、前記支持ロッドには定位スリーブに設ける環状突起と嵌めして定位するための多数の環状溝が等距離を置いて設けてあり、且つ前記定位スリーブの両端には他の定位スリーブと係合して結合するための凸嵌め部と凹嵌め部とが別々に設けてあり、なお、前記網状部材にある固定スリーブが前記定位スリーブと嵌合して結合する物置棚の構造において、前記定位スリーブは、その外周には溝が設けてあり、その底端には止め凸縁が設けてあり、且つ網状部材の固定スリーブの定位スリーブにある溝に応じる箇所には嵌め突起が設けてあり、そうすると、前記固定スリーブが前記定位スリーブを包囲し前記嵌め突起が前記溝に嵌め込み、且つ固定スリーブの底端が定位スリーブにある止め凸縁に止められ、なお、前記定位スリーブの外周面と前記固定スリーブの内周面とが円錐状に成すので、互いに嵌合して結合することができ、そして、前記止めスリーブは、網状部材にある固定スリーブと同様なように定位スリーブを包囲し、その嵌め突起が溝の他側に嵌め込むことができ、且つその底端が定位スリーブにある止め凸縁に当接することにより、前記網状部材にある固定スリーブの嵌め突起が前記定位スリーブにある溝の一側に嵌めるときに、使用者が、他の網状部材にある固定スリーブ又は前記止めスリーブの嵌め突起を前記定位スリーブにある溝の他側に嵌めるかどうかを決めることができることを特徴とする物置棚の構造であることを要旨としている。
【０００６】
本願の考案では、前記止めスリーブの脱着を便利にするために、前記止めスリーブの上端には凸縁が設けてあることを特徴とする請求項１に記載の物置棚の構造であることを要旨としている。
【０００７】
本願の考案では、前記支持ロッドの断面が円形を呈してもよく、且つ定位スリーブの形状が網状部材にある固定スリーブの形状と対応することを特徴とする請求項１に記載の物置棚の構造であることを要旨としている。
【０００８】
本願の考案では、前記支持ロッドの断面が円形を呈してもよく、且つ定位スリーブの形状と、網状部材にある固定スリーブの形状と、止めスリーブの形状とが同様であることを特徴とする請求項２に記載の物置棚の構造であることを要旨としている。
【０００９】
本願の考案では、前記支持ロッドの断面が矩形を呈してもよく、且つ定位スリーブの形状が網状部材にある固定スリーブの形状と対応することを特徴とする請求項１に記載の物置棚の構造であることを要旨としている。
【００１０】
本願の考案では、前記支持ロッドの断面が矩形を呈してもよく、且つ定位スリーブの形状と、網状部材にある固定スリーブの形状と、止めスリーブの形状とが同様であることを特徴とする請求項２に記載の物置棚の構造であることを要旨としている。
【考案の効果】
【００１１】
この考案は次のような効果がある。
＜１＞物置棚を組み立てるときに、隣接する二つの網状部材は、同じ平面若しくは異なる平面に設置することができる。
【００１２】
＜２＞支持ロッドは断面が矩形なものに限らず、円形な断面にも適用できる。
【考案を実施するための最良の形態】
【００１３】
以下、添付図面を参照して本考案の好適な実施の形態を詳細に説明する。
【００１４】
まず、図１乃至図２を参照する。本考案に係る物置棚の主な構造は、複数の支持ロッド１と、複数の定位スリーブ２と、複数の網状部材３と、複数の止めスリーブ４とから構成される。
【００１５】
前記支持ロッド１には、多数の環状溝１１が等距離を置いて設けてある。
【００１６】
前記定位スリーブ２は、その内周面に環状突起２１が設けてあり、且つその両側には凹嵌め部２２と凸嵌め部２３とが別々に設けられている。これによって、二つの定位スリーブ２が互いに係合し結合することができる。なお、前記定位スリーブ２の外周面の軸方向には溝２４が設けてあり、前記定位スリーブ２の外周面は円錐状を呈している。また、前記定位スリーブ２の底端には外へ突出する止め凸縁２５が設けてある。
【００１７】
前記網状部材３は、四つの隅に固定スリーブ３１が設けてあり、且つ前記固定スリーブ３１の両側には内側へ突出する嵌め突起３２が形成され、前記固定スリーブ３１の内周面も円錐状を呈する。
【００１８】
前記止めスリーブ４は、その両側に内側へ突出する嵌め突起４２が形成され、その内周面は円錐状に形成する。また、脱着を便利にするために、その上端には凸縁４２を設けている。
【００１９】
また、図３と図５と図８を参照する。物置棚を組立てようとするときには、まず、二つの定位スリーブ２を取り、その環状突起２１を支持ロッド１にある環状溝１１に嵌めて、各定位スリーブ２の両端にある凹嵌め部２２と凸嵌め部２３とを、別々に他の定位スリーブ２の両端にある凸嵌め部２３と凹嵌め部２２とに嵌合し結合する。
次に、網状部材３にある固定スリーブ３１を前記した二つの定位スリーブ２に嵌め合わせる。すなわち、固定スリーブ３１にある嵌め突起３２を、定位スリーブにある溝２４の一側に嵌め込み、且つ固定スリーブ３１の底端を定位スリーブにある止め凸縁２５に止める。これによって、網状部材３は定位スリーブ２に嵌め合わされて、固定される。また、定位スリーブ２にある溝２３の他側は、もう一つの網状部材３にある固定スリーブ３１の嵌め突起３２をそれに嵌めて固定することにより、隣接する二つの網状部材３が同様の平面に設置することができ（図８参照）、又は、ひとつの止めスリーブ４にある嵌め突起４２を定位スリーブ２にある溝２３の他側に嵌め込んで固定することにより、他側に網状部材３を設置しないことを選択できる。
【００２０】
また、図６乃至図７を参照する。この考案に係る定位スリーブ２は、上記のように二つの半円筒状なものを合わせて円筒状に成すこともでき、また射出成形により一体にすることもできる。このような定位スリーブは二つの半分定位スリーブ５１、５２を有し、前記半分定位スリーブ５１、５２の外周面の軸方向には溝５１０、５２０が設けてあり、且つ前記半分定位スリーブ５１、５２は、その一端には撓み性を持つ接合条により結合され、他端には別々に凹嵌め部５１１と凸嵌め部５２１とが設けてある。これによって、一体にされる前記半分定位スリーブ５１、５２は、簡単に嵌合することができ、また構造は簡単になり、製造コストも低減でき、且つ組立ても容易になる。
また、図９を参照する。この考案に係る支持ロッド１の断面は、図３に示すように、円形にしてもいいし、矩形にしてもいい。この場合、定位スリーブ２と、網状部材３にある固定スリーブ３１とも、図５に示すように、相応な形状にすることが必要である。
【００２１】
上記の構成により、本考案は、定位スリーブ２にある溝２４に網状部材３にある固定スリーブ３１の嵌め突起３２を嵌合して、固定スリーブ３１の底端を前記定位スリーブ２にある止め凸縁２５に止め、また定位スリーブ２の外周面と固定スリーブ３１の内周面が円錐面を呈するので、隣接する二つの網状部材３は、同様な平面に設置しても、又は異なる平面に設置することもできる（図８参照）。そして、固定スリーブ３１が嵌合する溝２４の他側に止めスリーブ４を嵌め込むことによって、網状部材３と支持ロッド１とが緊密に結合し、強度を向上させることができる。そして、支持ロッド１と、定位スリーブ２と、網状部材３にある固定スリーブ３１と、止めスリーブ４となどの断面形状は、円形にしても良いし、矩形又は他の形状にすることもできる。
【図面の簡単な説明】
【００２２】
【図１】本考案に係る物置棚の分解斜視図１である。
【図２】本考案に係る物置棚の分解斜視図２である。
【図３】本考案に係る物置棚の組立てた状態の底面断面図である。
【図４】本考案に係る物置棚の一部の拡大断面図１である。
【図５】本考案に係る物置棚の一部の拡大断面図２である。
【図６】本考案に係る物置棚の他の構造の半分を示す概略図である。
【図７】本考案に係る物置棚の他の構造の平面図である。
【図８】本考案に係る物置棚の実施例を示す側面図である。
【図９】本考案に係る物置棚の他の実施例を示す平面断面図である。
【図１０】従来の物置棚の構造を示す分解斜視図である。
【符号の説明】
【００２３】
（本考案の部分）
１          支持ロッド
１１      環状溝
２          定位スリーブ
２１      環状突起
２２        凹嵌め部
２３      凸嵌め部
２４        溝
２５      止め凸縁
３          網状部材
３１  固定スリーブ
３２    嵌め突起
４        止めスリーブ
４１        嵌め突起
４２      凸縁
５          定位スリーブ
５１      半分定位スリーブ
５１０      溝
５２０    溝
５２        半分定位スリーブ
５１１    凹嵌め部
５２１      凸嵌め部
５３      接合条
（従来の部分）
１０        支持ロッド
２０      物置面
３０        半分台形ブロック
３０１    斜面
２０１      結合スリーブ
【図１】
0003104160.tif 000003
【図２】
0003104160.tif 000004
【図３】
0003104160.tif 000005
【図４】
0003104160.tif 000006
【図５】
0003104160.tif 000007
【図６】
0003104160.tif 000008
【図７】
0003104160.tif 000009
【図８】
0003104160.tif 000010
【図９】
0003104160.tif 000011
【図１０】
0003104160.tif 000012